(57)【要約】【課題】押出型材からなる結合部材により、気密性及び水密性を確保しつつ枠体を構成する横枠と縦枠を連結することのできる開口部装置を提供する。【解決手段】縦枠２２は、室外側に面する室外側壁２２ｉと、室外側壁２２ｉと直交し枠体１の内周側に面する内周側壁２２ｋと、室外側壁２２ｉと対向して室内側に面する室内側壁２２ｓとを有し、縦枠２２の室外側壁２２ｉのうち室内側壁２２ｓの上下端部と対向する部分は切り欠かれ、縦枠２２には上下端部の内周側壁２２ｋよりも室外側に延びる結合部材４０が取付けられ、横枠２１は、縦枠２２の内周側壁２２ｋ及び結合部材４０に渡って当接し固定される。【選択図】図３
2014055466.tif 000002
【特許請求の範囲】
【請求項１】
縦枠の端部に横枠を方形状に枠組みしてなる枠体を備えた開口部装置において、
前記縦枠は、室外側に面する室外側壁と、該室外側壁と直交し前記枠体の内周側に面する内周側壁と、前記室外側壁と対向して室内側に面する室内側壁とを有し、
前記縦枠の室外側壁のうち前記室内側壁の上下端部と対向する部分は見付方向に伸びる室内側壁を残して切り欠かれ、
前記縦枠には前記上下端部の前記内周側壁よりも室外側に延びる結合部材が取付けられ、
前記横枠は、前記縦枠の内周側壁及び前記結合部材に渡って当接し固定されることを特徴とする開口部装置。
【請求項２】
前記結合部材が前記縦枠の内周側壁と面一状となる平面を備えることを特徴とする請求項１記載の開口部装置。
【請求項３】
前記結合部材と前記縦枠の室内側壁及び前記横枠の端面との間には止水材が配置されることを特徴とする請求項２記載の開口部装置。
【請求項４】
前記結合部材は、該結合部材の横枠を延長する面に直交する面であって前記室内側壁の上下端部に配置される端部面と、該端部面と対向する位置に配置され前記内周側壁に直交する面である縦枠固定面部とを有することを特徴とする請求項１〜３のいずれか１項に記載の開口部装置。
【請求項５】
前記縦枠の室外側壁は上下両端部を除いて室外カバー材で構成され、該室外カバー材の上下端部はそれぞれ前記結合部材の縦枠固定面部の位置となることを特徴とする請求項４記載の開口部装置。
【発明の詳細な説明】
【技術分野】
【０００１】
本発明は、建物開口部に取付けられる枠体を備えた開口部装置に関し、特に枠体を構成する横枠と縦枠を金属製の結合部材を介して連結する開口部装置に関する。
【背景技術】
【０００２】
建物開口部に設けられる開口部装置は、枠体内に障子やドアまたはパネル体を納めて構成される。枠体は、上下の横枠と左右の縦枠とを方形状に枠組みして形成される。枠体の枠組みにおける連結構造としては、横枠の端面を縦枠の側面に突き当てて、縦枠の外周面側からビス止めして固定するものや、枠体のコーナー部分に結合部材を設け、横枠と縦枠の間に結合部材を介在させて連結するものがある。
【０００３】
横枠と縦枠を、結合部材を介して連結する構造は、横枠と縦枠を直接突き当てて連結するものに比べて、各枠材の端面加工を少なくすることができて、コストを低減することができる。横枠と縦枠を、結合部材を介して連結する構造を有した開口部装置としては、例えば特許文献１に挙げるようなものがある。
【先行技術文献】
【特許文献】
【０００４】
【特許文献１】特開平１１−３５０８４９号公報
【発明の概要】
【発明が解決しようとする課題】
【０００５】
従来は特許文献１のように、従来の縦枠と横枠を結合部材によって取り付ける場合、結合部材は室内外に渡っており、結合部材と枠体との接合部分が室内側から見えるので意匠性を低下させている。
【０００６】
本発明は前記課題を鑑みてなされたものであり、押出型材からなる結合部材により、枠体を構成する横枠と縦枠を連結することのできる開口部装置を提供することを目的とする。
【課題を解決するための手段】
【０００７】
前記課題を解決するため、請求項１の発明に係る開口部装置は、縦枠の端部に横枠を方形状に枠組みしてなる枠体を備えた開口部装置において、
前記縦枠は、室外側に面する室外側壁と、該室外側壁と直交し前記枠体の内周側に面する内周側壁と、前記室外側壁と対向して室内側に面する室内側壁とを有し、
前記縦枠の室外側壁のうち前記室内側壁の上下端部と対向する部分は見付方向に伸びる室内側壁を残して切り欠かれ、
前記縦枠には前記上下端部の前記内周側壁よりも室外側に延びる結合部材が取付けられ、
前記横枠は、前記縦枠の内周側壁及び前記結合部材に渡って当接し固定されることを特徴として構成されている。
【０００８】
請求項１に係る発明によれば、縦枠の室内側壁と横枠の端面とにそれぞれ当接できるように結合部材を形成すればよいので、結合部材の形状を簡易化し、方向性を有した形状とすることが可能となる。
【０００９】
また、請求項２の発明に係る開口部装置は、前記結合部材が前記縦枠の内周側壁と面一状となる平面を備えることを特徴として構成されている。
【００１０】
請求項２に係る発明によれば、横枠の端面を平面状とすることができ、横枠に対する切欠加工などを不要とすることができる。
【００１１】
さらに、請求項３の発明に係る開口部装置は、前記結合部材と前記縦枠の室内側壁及び前記横枠の端面との間には止水材が配置されることを特徴として構成されている。
【００１２】
請求項３に係る発明によれば、結合部材と横枠及び縦枠との間を簡易かつ確実に止水することができる。
【００１３】
さらにまた、請求項４の発明に係る開口部装置は、前記結合部材は、該結合部材の横枠を延長する面に直交する面であって前記室内側壁の上下端部に配置される端部面と、該端部面と対向する位置に配置され前記内周側壁に直交する面である縦枠固定面部とを有することを特徴として構成されている。
【００１４】
請求項４に係る発明によれば、結合部材を縦枠と簡単な構造で連結することができる。
【００１５】
そして、請求項５の発明に係る開口部装置は、前記縦枠の室外側壁は上下両端部を除いて室外カバー材で構成され、該室外カバー材の上下端部はそれぞれ前記結合部材の縦枠固定面部の位置となることを特徴として構成されている。
【００１６】
請求項５に係る発明によれば、室外カバー材を上下方向に容易に位置決めして縦枠に対して取付けることができる。
【発明の効果】
【００１７】
本発明に係る開口部装置によれば、横枠と縦枠を連結する結合部材をアルミの押出型材で形成することができると共に、見付方向に残した室内側壁により、内観から結合部材が見えなくなるので、意匠性を向上させることができる。
【図面の簡単な説明】
【００１８】
【図１】本実施形態における開口部装置の縦断面図である。
【図２】本実施形態における開口部装置の横断面図である。
【図３】下枠と縦枠との連結部分における分解斜視図である。
【図４】下枠と縦枠を連結する結合部材の斜視図である。
【図５】結合部材を縦枠に取付けた状態の斜視図である。
【図６】結合部材により連結された下枠と縦枠の連結部分付近斜視図である。
【図７】下枠の端面と結合部材及び止水材との関係を表した側面図である。
【図８】上枠と縦枠との連結部分における分解斜視図である。
【図９】上枠と縦枠を連結する結合部材の斜視図である。
【図１０】結合部材を縦枠に取付けた状態の斜視図である。
【図１１】結合部材により連結された上枠と縦枠の連結部分付近斜視図である。
【発明を実施するための形態】
【００１９】
本発明の実施形態について図面に沿って詳細に説明する。図１には本実施形態における開口部装置の縦断面図を、図２には本実施形態における開口部装置の横断面図を、それぞれ示している。これら各図に示すように、本実施形態の開口部装置は、建物開口部に取付けられる枠体１内に内障子２と外障子３を引き違い状に納めてなる引き違い窓サッシである。
【００２０】
枠体１は、四周に枠組みされたフレーム体１０に対して固定され、フレーム体１０が建物躯体に対して固定されることにより、開口部装置が建物に対して取付けられるようになっている。上下左右のフレーム体１０は、それぞれ枠体１の外周面と対向する内周面部１０ａと、該内周面部１０ａの室外端部から外周側に向かって伸びる室外面部１０ｂとを有している。
【００２１】
枠体１は、上枠２０と下枠２１及び左右の縦枠２２，２２を方形状に枠組みしてなり、上枠２０の外周面に形成されるフィン部２０ｅがフレーム体１０の室外面部１０ｂに対して当接固定され、下枠２１の外周面に形成されるフィン部２１ｅがフレーム体１０の室外面部１０ｂに対して当接固定され、縦枠２２の外周面に形成されるフィン部２２ｅがフレーム体１０の室外面部１０ｂに対して当接固定される。
【００２２】
建物躯体には、室外側に面する外壁材１３と室内側に面する内壁材１４とが設けられ、外壁材１３と内壁材１４の間の領域にフレーム体１０及び枠体１が配置される。また、枠体１の室内側端部から内壁材１４までの内周面には、四周に渡って内装材１２が設けられている。建物躯体は、内装材１２の外周側に四周に渡り室内構造体１１を有しており、上下左右の内装材１２は、それぞれ室内構造体１１に対して固着されている。
【００２３】
枠体１を構成する上枠２０は、内周側部材２０ａと外周側部材２０ｂとを一体化して構成されている。内周側部材２０ａは、枠体１の内周面を構成する内周面部２０ｃを備え、内周面部２０ｃから下方に突出する室内外の上レール部２０ｄ，２０ｄを有している。室内外の上レール部２０ｄ，２０ｄは、それぞれ内障子２と外障子３の上辺を案内する。
【００２４】
上枠２０を構成する内周側部材２０ａには、室内端部から室内側に延出される樹脂製のアングル部２０ｈが取付けられている。アングル部２０ｈは、内装材１２の内周面室外端部に対して重合している。
【００２５】
内周側部材２０ａの内周面部２０ｃには、外周側に向かって伸びる固定片部２０ｆが形成されており、この固定片部２０ｆが外周側部材２０ｂに対して当接しネジ止め固定されている。外周側部材２０ｂは外周面に前述のフィン部２０ｅが形成されており、フィン部２０ｅがフレーム体１０の室外面部１０ｂに対して当接しネジ止め固定されている。
【００２６】
枠体１を構成する下枠２１は、内周側部材２１ａと外周側部材２１ｂとを一体化して構成されている。内周側部材２１ａは、枠体１の内周面を構成する内周面部２１ｃを備え、内周面部２１ｃから上方に突出する室内外のレール部２１ｄ，２１ｄを有している。室内外のレール部２１ｄ，２１ｄには、それぞれ内障子２と外障子３の下辺に設けられる戸車３３が載置され、内障子２と外障子３を走行自在としている。
【００２７】
下枠２１を構成する内周側部材２１ａには、室内端部から室内側に延出される樹脂製のアングル部２１ｈが取付けられている。アングル部２１ｈは、内装材１２の内周面室外端部に対して重合している。
【００２８】
内周側部材２１ａの外周側の面には、外周側に向かって伸びる固定片部２１ｆが形成されており、この固定片部２１ｆが外周側部材２１ｂに対して当接しネジ止め固定されている。外周側部材２１ｂは外周面に前述のフィン部２１ｅが形成されており、フィン部２１ｅがフレーム体１０の室外面部１０ｂに対して当接しネジ止め固定されている。
【００２９】
また、下枠２１を構成する外周側部材２１ｂには、室外端部に水切り部材２３が係合固定されている。水切り部材２３は、上面に室外側に向かう下方傾斜状の水切り面２３ａを有しており、開口部装置から排水された水を外壁材１３よりも室外側に導くことができる。
【００３０】
枠体１を構成する縦枠２２は、内周側部材２２ａと外周側部材２２ｂとを一体化して構成されている。内周側部材２２ａは、枠体１の内周面を構成する内周面部２２ｃを備えている。また、内周側部材２２ａの室内側端部には、室内側に向かって延出される樹脂製のアングル部２２ｈが取付けられている。
【００３１】
内周側部材２２ａの内周面部２２ｃには、外周側に向かって伸びる固定片部２２ｆが形成されており、この固定片部２２ｆが外周側部材２２ｂに対して当接しネジ止め固定されている。また、縦枠２２は、室外側面の外周側部分が、室外カバー材２２ｍによって構成されている。室外カバー材２２ｍは、縦枠２２に対して係合固定されており、縦枠２２の室外側面と面一状となる。
【００３２】
内障子２と外障子３は、それぞれ上框３０と下框３１及び左右の縦框３２，３２を方形状に框組みしてなる框体４内に、ガラス板からなるパネル体５を納めて構成されている。
【００３３】
次に、横枠である下枠２１及び上枠２０と縦枠２２との連結構造について説明する。図３には、下枠２１と縦枠２２との連結部分における分解斜視図を示している。縦枠２２は、室外側に面する室外側壁２２ｉと、この室外側壁２２ｉと直交し枠体１の内周側に面する内周側壁２２ｋと、室外側壁２２ｉと対向して室内側に面する室内側壁２２ｓとを有している。
【００３４】
図３では、縦枠２２の室外側壁２２ｉのうち外周側部分を構成する室外カバー材２２ｍは取付けられていない。縦枠２２の室外側壁２２ｉは、縦枠２２の室内側壁２２ｓの下端部２２ｐと対向する部分が切り欠かれている。
【００３５】
下枠２１は、水切り部材２３を固定する部分が室外側に張り出しているため、縦枠２２よりも室内外方向に大きく、縦枠２２の室外側壁２２ｉは下枠２１の室外端部よりも室内側寄りに配置されることとなる。縦枠２２の室内側壁２２ｓと下枠２１の端面２１ｉに囲まれた領域には、結合部材４０が設けられて下枠２１と縦枠２２とを連結する。
【００３６】
図４には、下枠２１と縦枠２２を連結する結合部材４０の斜視図を示している。結合部材４０は下枠２１や縦枠２２と同様、アルミの押出型材により形成されている。結合部材４０は、縦枠２２の長手方向に向かって面する端部面４１と、端部面４１から上方に立ち上がる平面状の横枠当接部４３とを有し、端部面４１と横枠当接部４３の縦枠２２側端面は、縦枠２２の室内側壁２２ｓを構成する下端部２２ｐに対して当接する縦枠当接部４２となっている。
【００３７】
横枠当接部４３は、上端部に下枠２１に対して結合部材４０をビス止め固定するためのビス孔４３ａを有している。また、横枠当接部４３は、上端部から下枠２１を延長する方向に向かって伸びる縦枠固定面部４４を有している。縦枠固定面部４４は、端部面４１と対向し、縦枠２２の中央寄りに配置されて、ビス孔４４ａを有している。このビス孔４４ａによって結合部材４０を縦枠２２に対しビス止め固定することができる。
【００３８】
図５には、結合部材４０を縦枠２２に取付けた状態の斜視図を示している。この図に示すように、結合部材４０の縦枠当接部４２は、シート状の止水材４５を介して縦枠２２の室内側壁２２ｓを構成する下端部２２ｐに対して当接し、ビス孔４４ａに螺合されるビスによって縦枠２２に固定される。このとき、結合部材４０の横枠当接部４３は、縦枠２２の内周側壁２２ｋと面一状となり、内周側壁２２ｋを室外側に拡張する。横枠当接部４３と縦枠２２の内周側壁２２ｋとで形成される面一状の領域に、止水材４６を介して下枠２１の端面２１ｉが突き当てられ、ビス止め固定される。
【００３９】
図６には、結合部材４０により連結された下枠２１と縦枠２２の連結部分付近斜視図を示している。縦枠２２の室外カバー材２２ｍは、縦枠２２に結合部材４０を固定した後に取付けられる。平面状に形成された結合部材４０の縦枠固定面部４４は、室外カバー材２２ｍの下端位置と上下方向に同じ位置となるように形成されている。室外カバー材２２ｍを縦枠２２に取付けるにあたっては、室外カバー材２２ｍの下端面を結合部材４０の縦枠固定面部４４に突き当てた状態で、室外カバー材２２ｍを縦枠２２に対して係合させることにより、室外カバー材２２ｍの位置決めと固定の作業を容易に行うことができる。
【００４０】
図７には、下枠２１の端面と結合部材４０及び止水材４６との関係を表した側面図を示している。図７（ａ）は、下枠２１の断面図と結合部材４０の外形状とを重ねた図である。この図に示すように、結合部材４０は下枠２１の断面のうち室外側の領域に当接する。下枠２１には、室内側から順にビス孔２１ｋ，２１ｍ，２１ｐが設けられており、室内側のビス孔２１ｋ，２１ｍは縦枠２２に対してネジ止めされる。室外側のビス孔２１ｐは、結合部材４０の横枠当接部４３に形成されたビス孔４３ａと重なり合っており、ビスを螺合することによって両者が連結される。
【００４１】
図７（ｂ）は、下枠２１の断面図と結合部材４０及び止水材４６を重ねた図である。この図に示すように、止水材４６は下枠２１の断面形状略全域に渡る外形状を有している。止水材４６のうち室外側の領域には、前述のように結合部材４０が当接し、それより室内側の領域には、縦枠２２の内周側壁２２ｋが当接する。これにより、縦枠２２の内周側壁２２ｋから結合部材４０の横枠当接部４３に渡る面で連続的な止水をなすことができる。
【００４２】
次に、横枠である上枠２０と縦枠２２の連結について説明する。図８には、上枠２０と縦枠２２との連結部分における分解斜視図を示している。縦枠２２の室外側壁２２ｉは、縦枠２２の室内側壁２２ｓの上端部２２ｔと対向する部分が切り欠かれている。縦枠２２の上端部２２ｔと上枠２０の端面２０ｉに囲まれた領域には、結合部材５０が設けられて上枠２０と縦枠２２とを連結する。
【００４３】
図９には、上枠２０と縦枠２２を連結する結合部材５０の斜視図を示している。上枠２０と縦枠２２を連結する結合部材５０は、アルミの押出型材により形成されており、その基本構成は下枠２１と縦枠２２を連結する結合部材４０と同様である。すなわち、結合部材５０は、端部面５１と、端部面５１から下方に向かって伸びる平面状の横枠当接部５３とを有し、端部面５１と横枠当接部５３の縦枠２２側端面が、縦枠２２の室内側壁２２ｓを構成する上端部２２ｔに対して当接する縦枠当接部５２となっている。
【００４４】
横枠当接部５３は、下端部から上枠２０を延長する方向に向かって伸びる縦枠固定面部５４を有し、縦枠固定面部５４はビス孔５４ａを有している。このビス孔５４ａによって結合部材５０を縦枠２２に対しビス止め固定することができる。
【００４５】
図１０には、結合部材５０を縦枠２２に取付けた状態の斜視図を示している。この図に示すように、結合部材５０の縦枠当接部５２は、シート状の止水材５５を介して縦枠２２の室内側壁２２ｓを構成する上端部２２ｔに対して当接し、ビス孔５４ａに螺合されるビスによって縦枠２２に固定される。このとき、結合部材５０の横枠当接部５３は、縦枠２２の内周側壁２２ｋと面一状となり、内周側壁２２ｋを室外側に拡張する。横枠当接部５３と縦枠２２の内周側壁２２ｋとで形成される面一状の領域に、止水材５６を介して上枠２０の端面２０ｉが突き当てられ、ビス止め固定される。
【００４６】
図１１には、結合部材５０により連結された上枠２０と縦枠２２の連結部分付近斜視図を示している。結合部材５０の縦枠固定面部５４は、下枠２１と縦枠２２を連結させる結合部材４０の縦枠固定面部４４と同様、縦枠２２の室外カバー材２２ｍの下端位置と上下方向に同じ位置となっており、室外カバー材２２ｍの位置決め面として用いることができる。
【００４７】
このように、縦枠２２と横枠の連結に結合部材４０，５０を用い、結合部材４０，５０は、縦枠２２の室内側壁２２ｓに当接して固定される縦枠当接部４２，５２と、縦枠２２の内周側壁２２ｋを室外側に拡張する横枠当接部４３，５３とを有しており、横枠の端面が縦枠２２の内周側壁２２ｋと結合部材４０，５０の横枠当接部４３，５３に渡って当接固定されることにより、結合部材４０，５０の縦枠２２と固定される面と横枠と固定される面を、いずれも平面で構成することができるので、結合部材４０，５０の形状を簡易なものとすることができる。これにより、結合部材４０，５０を縦枠２２や横枠と同様のアルミの押出型材で形成することができるので、低コストに結合部材４０，５０を形成できると共に、枠体１との色味を合わせることができるので、意匠性も高くすることができる。また、結合部材４０，５０の縦枠２２及び横枠との連結面には、それぞれシート状の止水材を設けることができるので、簡易な構成で確実な止水をなすことができる。
【００４８】
以上、本発明の実施形態について説明したが、本発明の適用は本実施形態には限られず、開口部装置においては縦辷り出し窓、横辷り出し窓、嵌め殺し窓、テラスドア、採風勝手口にも適用でき、その技術的思想の範囲内において様々に適用されうるものである。
【符号の説明】
【００４９】
１    枠体
２    内障子
３    外障子
４    框体
５    パネル体
２０    上枠
２１    下枠
２２    縦枠
２２ｉ  室外側壁
２２ｋ  内周側壁
２２ｍ  室外カバー材
２２ｓ  室内側壁
４０    結合部材
４１    端部面
４２    縦枠当接部
４３    横枠当接部
４３ａ  ビス孔
４４    縦枠固定面部
４４ａ  ビス孔
４５    止水材
４６    止水材
５０    結合部材
５１    端部面
５２    縦枠当接部
５３    横枠当接部
５３ａ  ビス孔
５４    縦枠固定面部
５４ａ  ビス孔
５５    止水材
５６    止水材
【図１】
2014055466.tif 000003
【図２】
2014055466.tif 000004
【図３】
2014055466.tif 000005
【図４】
2014055466.tif 000006
【図５】
2014055466.tif 000007
【図６】
2014055466.tif 000008
【図７】
2014055466.tif 000009
【図８】
2014055466.tif 000010
【図９】
2014055466.tif 000011
【図１０】
2014055466.tif 000012
【図１１】
2014055466.tif 000013